(57)【要約】【課題】捕捉した塵芥を容易に取り除くことができる除塵装置を提供すること。【解決手段】除塵装置は、水槽の水底から水面にかけて配置される固定スクリーンと、固定スクリーンの上流に配置される可動スクリーンと、可動スクリーンの上流に配置され、可動スクリーンを支持する支柱と、可動スクリーンと支柱を繋ぐ接続部材と、を備える。可動スクリーンは、接続部材と接続されるフロートと、フロートから水底に向かって延びる網と、網の下端に配置される錘と、を備える。上流から下流に向かって水が流れている状態で、網は、固定スクリーンに接する。【選択図】図１
2020084726.tif 000002
【特許請求の範囲】
【請求項１】
水槽の水底から水面にかけて配置される固定スクリーンと、
前記固定スクリーンの上流に配置される可動スクリーンと、
前記可動スクリーンの上流に配置され、前記可動スクリーンを支持する支柱と、
前記可動スクリーンと前記支柱を繋ぐ接続部材と、
を備え、
前記可動スクリーンは、前記接続部材と接続されるフロートと、前記フロートから水底に向かって延びる網と、前記網の下端に配置される錘と、を備え、
上流から下流に向かって水が流れている状態で、前記網は、前記固定スクリーンに接する
除塵装置。
【請求項２】
前記接続部材の前記フロートと接続される端部とは反対側の端部に接続されるバランサーを備える
請求項１に記載の除塵装置。
【請求項３】
前記接続部材の前記フロートと接続される端部とは反対側の端部に接続される貯留装置と、
前記貯留装置を上下方向に移動できるように支持する支持装置と、
を備え、
前記貯留装置は、上面が開口し且つ少なくとも一部が余水路に配置される容器を備える
請求項１に記載の除塵装置。
【請求項４】
前記支持装置は、前記容器に上向きの力を加える弾性部材を備え、
前記容器は、水を排出するための排出口を備える
請求項３に記載の除塵装置。
【請求項５】
水槽の側壁に設けられて、前記フロートを案内するレールを備える
請求項３又は４に記載の除塵装置。
【発明の詳細な説明】
【技術分野】
【０００１】
本発明は、除塵装置に関する。
【背景技術】
【０００２】
河川等から取水するために設けられる取水口には、河川等の水中に含まれる木葉またはゴミ等の塵芥が流れてくる。塵芥を導水路に通して水槽の中に入れないようにするための装置が知られている。例えば、特許文献１には、塵芥を捕捉する網場が記載されている。特許文献１の技術によれば、浮体に漂着している塵芥を容易に取り除くことができる。
【先行技術文献】
【特許文献】
【０００３】
【特許文献１】特開２００４−１００１６９号公報
【発明の概要】
【発明が解決しようとする課題】
【０００４】
ところで、捕捉した塵芥をより容易に取り除くことができる除塵装置が望まれている。
【０００５】
本開示は、上記に鑑みてなされたものであって、捕捉した塵芥を容易に取り除くことができる除塵装置を提供することを目的とする。
【課題を解決するための手段】
【０００６】
上記の目的を達成するため、本開示の除塵装置は、水槽の水底から水面にかけて配置される固定スクリーンと、前記固定スクリーンの上流に配置される可動スクリーンと、前記可動スクリーンの上流に配置され、前記可動スクリーンを支持する支柱と、前記可動スクリーンと前記支柱を繋ぐ接続部材と、を備え、前記可動スクリーンは、前記接続部材と接続されるフロートと、前記フロートから水底に向かって延びる網と、前記網の下端に配置される錘と、を備え、上流から下流に向かって水が流れている状態で、前記網は、前記固定スクリーンに接する。
【０００７】
これにより、発電機が稼働している時には、可動スクリーンの網が固定スクリーンに沿うので、網に塵芥が溜まっていく。また、網は固定スクリーンに支持されるので、網に過大な力が作用することが抑制される。このため、網の破損が抑制される。発電機が停止等することで水が逆流すると、可動スクリーンが上流に移動するので、網と一緒に塵芥が固定スクリーンから離れる。網から離れた塵芥は、水流に乗って余水路等に流されることによって排除される。したがって、除塵装置は、捕捉した塵芥を容易に取り除くことができる。
【０００８】
本開示の除塵装置の望ましい態様として、前記接続部材の前記フロートと接続される端部とは反対側の端部に接続されるバランサーを備える。
【０００９】
これにより、水の流れが止まる又は水が逆流した時に、バランサーが自重によって下に移動する。これにより、可動スクリーンが上流に移動しても、接続部材の弛みが抑制される。
【００１０】
本開示の除塵装置の望ましい態様として、前記接続部材の前記フロートと接続される端部とは反対側の端部に接続される貯留装置と、前記貯留装置を上下方向に移動できるように支持する支持装置と、を備え、前記貯留装置は、上面が開口し且つ少なくとも一部が余水路に配置される容器を備える。
【００１１】
これにより、余水路に水が流入することによって、容器に水が貯留される。容器に貯留された水の重量によって、接続部材が可動スクリーンを引っ張る。このため、接続部材の弛みが抑制される。
【００１２】
本開示の除塵装置の望ましい態様として、前記支持装置は、前記容器に上向きの力を加える弾性部材を備え、前記容器は、水を排出するための排出口を備える。
【００１３】
これにより、容器に貯留される水の重量が少しずつ減少する。弾性部材の弾性力によって、貯留装置が上に移動する。したがって、除塵装置は、接続部材によって可動スクリーンが引っ張られた状態から、自動的に、可動スクリーンが下流に移動できる状態にすることができる。
【００１４】
本開示の除塵装置の望ましい態様として、水槽の側壁に設けられて、前記フロートを案内するレール。
【００１５】
これにより、除塵装置は、可動スクリーンを吊り上げることによって塵芥を効果的に取り除くことができる。
【発明の効果】
【００１６】
本開示の除塵装置によれば、捕捉した塵芥を容易に取り除くことができる。
【図面の簡単な説明】
【００１７】
【図１】図１は、本実施形態の水槽の斜視図である。
【図２】図２は、本実施形態の水槽の側面図である。
【図３】図３は、本実施形態の水槽の平面図である。
【図４】図４は、本実施形態の除塵装置の正面図である。
【図５】図５は、本実施形態の可動スクリーンの動きを説明するための側面図である。
【図６】図６は、本実施形態の可動スクリーンの動きを説明するための側面図である。
【図７】図７は、本実施形態の可動スクリーンの動きを説明するための側面図である。
【図８】図８は、本実施形態の可動スクリーンの動きを説明するための側面図である。
【図９】図９は、本実施形態の可動スクリーンの動きを説明するための側面図である。
【図１０】図１０は、第１変形例の水槽の斜視図である。
【図１１】図１１は、第２変形例の水槽の斜視図である。
【図１２】図１２は、第２変形例の可動スクリーンの動きを説明するための斜視図である。
【図１３】図１３は、第２変形例の可動スクリーンの動きを説明するための斜視図である。
【図１４】図１４は、第２変形例の可動スクリーンの動きを説明するための斜視図である。
【図１５】図１５は、第２変形例の可動スクリーンの動きを説明するための斜視図である。
【発明を実施するための形態】
【００１８】
以下、本発明につき図面を参照しつつ詳細に説明する。なお、下記の発明を実施するための形態（以下、実施形態という）により本発明が限定されるものではない。また、下記実施形態における構成要素には、当業者が容易に想定できるもの、実質的に同一のもの、いわゆる均等の範囲のものが含まれる。さらに、下記実施形態で開示した構成要素は適宜組み合わせることが可能である。
【００１９】
（実施形態）
図１は、本実施形態の水槽の斜視図である。図２は、本実施形態の水槽の側面図である。図３は、本実施形態の水槽の平面図である。図４は、本実施形態の除塵装置の正面図である。図１に示すように、河川等から取水するために、河川等の一部に水槽１００が設けられる。取水口１１０は、河川等を流れる水のうち一部を取り入れ、導水路１０２を介して水槽１００に水を供給する。水槽１００の水は、発電機２００に供給される。水槽１００は、余水路１０１を備える。余水路１０１は、余分な水を他の場所に流すための水路である。河川の水中には、木葉またはゴミ等の塵芥が含まれている。このような塵芥が水力発電所等に導かれることを抑制するために、本実施形態の水槽１００は、除塵装置１０を備える。
【００２０】
図１及び図２に示すように、除塵装置１０は、固定スクリーン２０と、可動スクリーン３０と、支柱１２と、接続部材１４と、制御装置１１と、第１水位計１５と、第２水位計１６と、を備える。固定スクリーン２０は、塵芥を捕捉するための装置である。固定スクリーン２０は、図２に示すように、水槽１００の水底から水面にかけて配置される。すなわち、水深方向の固定スクリーン２０の長さは、水深よりも大きい。固定スクリーン２０の一部は、水面から突出している。固定スクリーン２０は、例えば側壁１０５に固定されており、移動しない。例えば、固定スクリーン２０は、一方向に並べられた複数のスクリーン部材を備える。固定スクリーン２０は、水を通過させる一方、スクリーン部材によって塵芥を捕捉する。
【００２１】
可動スクリーン３０は、固定スクリーン２０に対して移動できる。図１から図３に示すように、可動スクリーン３０は、固定スクリーン２０の上流に配置される。図４に示すように、可動スクリーン３０は、フロート３１と、網３３と、錘３５と、を備える。フロート３１は、中空状の部材である。フロート３１は、水面に配置される。フロート３１は、接続部材１４と接続される。１つの接続部材１４は、一方向に並べられた複数のフロート３１のうち一端のフロート３１に接続される。もう１つの接続部材１４は、一方向に並べられた複数のフロート３１のうち他端のフロート３１に接続される。網３３は、フロート３１に取り付けられる。網３３は、フロート３１から下側に向かって延びている。網３３は、水を通過させる一方、塵芥を捕捉する。錘３５は、網３３の下端部に配置される。錘３５は、水底よりも高い位置に配置される。可動スクリーン３０は、水面から水深方向の途中まで設けられる。すなわち、水深方向の可動スクリーン３０の長さは、水深よりも小さい。水深方向の可動スクリーン３０の長さは、水深方向の固定スクリーン２０の長さよりも小さい。
【００２２】
支柱１２は、水槽１００の側壁１０５に配置される。支柱１２は、可動スクリーン３０の上流に配置される。支柱１２は、可動スクリーン３０を支持する。支柱１２は、接続部材１４を介して可動スクリーン３０と接続される。接続部材１４の一端が、可動スクリーン３０のフロート３１と接続される。接続部材１４の他端が、支柱１２と接続される。接続部材１４の長さは、少なくとも網３３が固定スクリーン２０に接触できるように調節される。図２に示すように、上流から下流に向かって水が流れている状態で、網３３は、固定スクリーン２０に接する。接続部材１４は、例えばロープ、ワイヤ又は鎖等である。
【００２３】
制御装置１１は、コンピュータであって、発電機２００を制御する。例えば、制御装置１１は、ＣＰＵ（Central  Processing  Unit）と、ＲＯＭ（Read  Only  Memory）、ＲＡＭ（Random  Access  Memory）等のメモリと、フラッシュメモリ、ハードディスクドライブ等の記憶部と、を備える。制御装置１１の発電機２００に対する制御は、ＣＰＵが演算プログラムをＲＡＭ等に読み出して情報を演算処理することにより実現される。
【００２４】
図２に示すように、第１水位計１５は、固定スクリーン２０の上流側に配置される。第１水位計１５は、固定スクリーン２０の上流側の水位を検出する。第１水位計１５は、検出した水位を、制御装置１１に送信する。
【００２５】
図２に示すように、第２水位計１６は、固定スクリーン２０の下流側に配置される。第２水位計１６は、固定スクリーン２０の下流側の水位を検出する。第２水位計１６は、検出した水位を、制御装置１１に送信する。
【００２６】
制御装置１１は、第１水位計１５から受信した固定スクリーン２０の上流側の水位と、第２水位計１６から受信した固定スクリーン２０の下流側の水位と、に基づいて発電機２００を制御する。制御装置１１は、固定スクリーン２０の上流側と固定スクリーン２０の下流側との水位差を演算し、水位差に基づいて発電機２００を制御する。例えば、制御装置１１は、閾値を記憶している。制御装置１１は、固定スクリーン２０の上流側と固定スクリーン２０の下流側との水位差が閾値を超えた場合に、発電機２００を停止させる。また、制御装置１１は、固定スクリーン２０の上流側と固定スクリーン２０の下流側との水位差が閾値を超えてから所定時間を経過後に、発電機２００を運転を再開させる。なお、制御装置１１は、固定スクリーン２０の上流側と固定スクリーン２０の下流側との水位差が閾値を超えた場合に、発電機２００の出力を低下させてもよい。
【００２７】
図５から図９は、本実施形態の可動スクリーンの動きを説明するための側面図である。図５は、発電機２００が運転し始めた状態を示す。図５は、水槽１００の水が流れ始めた状態を示す。図５に示すように、水の流れによって可動スクリーン３０は、下流に流される。可動スクリーン３０は、固定スクリーン２０に近付く。
【００２８】
図６は、発電機２００の運転が継続している状態を示す。図６は、水槽１００の水が上流から下流に向かって流れている状態を示す。図６に示すように、可動スクリーン３０の網３３は、固定スクリーン２０に接する。フロート３１は、固定スクリーン２０に接しない。フロート３１と固定スクリーン２０との間には隙間が設けられる。図６に示すように、網３３が水中の塵芥を捕捉する。このため、網３３に塵芥が溜まっていく。一方、固定スクリーン２０の一部は、網３３に覆われない。このため、図６の矢印で示すように、可動スクリーン３０の下側を水が流れていく。しかし、固定スクリーン２０の一部が塵芥を捕捉した網３３に覆われているので、図５の状態と比べて固定スクリーン２０の水位が下がっていく。このため、固定スクリーン２０の上流側と固定スクリーン２０の下流側との水位差が、固定スクリーン２０を通過する水の流速によって大きくなる。
【００２９】
図７及び図８は、発電機２００が停止した状態を示す。制御装置１１は、固定スクリーン２０の上流側と固定スクリーン２０の下流側のとの水位差が閾値を超えると、発電機２００を停止させる。発電機２００が停止すると、発電機２００への水の流入が止まる。図７の矢印で示すように、水が逆流する（反転水流が発生する）。これにより、図７に示すように、可動スクリーン３０が固定スクリーン２０から離れる。より具体的には、フロート３１及び網３３が上流に移動した後、網３３に引っ張られるように錘３５が上流に移動する。これにより、塵芥が固定スクリーン２０から引きはがされる。さらに、図８に示すように、可動スクリーン３０は、上流に移動する。網３３に溜まった塵芥も、上流に移動する。図７及び図８の状態において、水は図１に示す余水路１０１に流れる。網３３に溜まっていた塵芥は、余水路１０１に流される。
【００３０】
図９は、発電機２００の運転が再開した状態を示す。制御装置１１は、固定スクリーン２０の上流側と固定スクリーン２０の下流側との水位差が閾値を超えてから所定時間を経過後に、発電機２００の運転を再開させる。発電機２００の運転が再開すると、発電機２００へ水が流入する。これにより、可動スクリーン３０が下流に移動し、網３３が再び固定スクリーン２０に接する。
【００３１】
なお、除塵装置１０は、接続部材１４を巻き取るための巻取装置を備えていてもよい。例えば、図７及び図８に示すように可動スクリーン３０が上流に移動した時に、巻取装置によって接続部材１４が巻き取られる。これにより、接続部材１４の弛みが抑制される。また、接続部材１４は、必ずしもロープ又はワイヤでなくてもよい。例えば、接続部材１４は、バネ等の弾性部材を含んでおり、伸縮可能であってもよい。
【００３２】
制御装置１１は、必ずしも水位差に基づいて発電機２００を制御しなくてもよい。例えば、除塵装置１０は、網３３の張力を検出する張力センサを備えていてもよい。制御装置１１は、張力センサから受信する網３３の張力に基づいて発電機２００を制御してもよい。
【００３３】
以上で説明したように、除塵装置１０は、水槽１００の水底から水面にかけて配置される固定スクリーン２０と、固定スクリーン２０の上流に配置される可動スクリーン３０と、可動スクリーン３０の上流に配置され可動スクリーン３０を支持する支柱１２と、可動スクリーン３０と支柱１２を繋ぐ接続部材１４と、を備える。可動スクリーン３０は、接続部材１４と接続されるフロート３１と、フロート３１から水底に向かって延びる網３３と、網３３の下端に配置される錘３５と、を備える。上流から下流に向かって水が流れている状態で、網３３は、固定スクリーン２０に接する。
【００３４】
これにより、発電機２００が稼働している時には、可動スクリーン３０の網３３が固定スクリーン２０に沿うので、網３３に塵芥が溜まっていく。また、網３３は固定スクリーン２０に支持されるので、網３３に過大な力が作用することが抑制される。このため、網３３の破損が抑制される。発電機２００が停止等することで水が逆流すると、可動スクリーン３０が上流に移動するので、網３３と一緒に塵芥が固定スクリーン２０から離れる。網３３から離れた塵芥は、水流に乗って余水路１０１等に流されることによって排除される。したがって、除塵装置１０は、捕捉した塵芥を容易に取り除くことができる。
【００３５】
（第１変形例）
図１０は、第１変形例の水槽の斜視図である。なお、上述した実施形態で説明したものと同じ構成要素には同一の符号を付して重複する説明は省略する。
【００３６】
図１０に示すように、第１変形例の除塵装置１０Ａは、バランサー１８を備える。バランサー１８は、錘である。バランサー１８は、接続部材１４と接続される。接続部材１４の一端にフロート３１が接続される。接続部材１４の他端にバランサー１８が接続される。すなわち、バランサー１８は、接続部材１４のフロート３１と接続される端部とは反対側の端部に接続される。接続部材１４は、滑車１７１を介して支柱１２に支持される。
【００３７】
これにより、水の流れが止まる又は水が逆流した時に、バランサー１８が自重によって下に移動する。これにより、図７及び図８に示すように可動スクリーン３０が上流に移動しても、接続部材１４の弛みが抑制される。
【００３８】
（第２変形例）
図１１は、第２変形例の水槽の斜視図である。図１１に示すように、第２変形例の除塵装置１０Ｂは、貯留装置５０と、支持装置６０と、レール１９と、を備える。なお、上述した実施形態で説明したものと同じ構成要素には同一の符号を付して重複する説明は省略する。
【００３９】
図１１に示すように、貯留装置５０は、容器５１と、ロッド５３と、を備える。容器５１は、水を貯留できる。容器５１の上面は、開口している。容器５１の少なくとも一部は、余水路１０１に配置される。容器５１は、余水路１０１に流入する水を受け取れるように余水路１０１に配置される。余水路１０１に流入する水の一部が、容器５１の上面の開口から容器５１の内部に入る。容器５１は、水を排出するための排出口５５を備える。排出口５５の開口面積は、容器５１の上面の開口面積よりも小さい。
【００４０】
図１１に示すように、ロッド５３は、容器５１に取り付けられる。ロッド５３は、水平方向に延びている。ロッド５３は、接続部材１４と接続される。接続部材１４の一端にフロート３１が接続される。接続部材１４の他端にロッド５３が接続される。すなわち、ロッド５３は、接続部材１４のフロート３１と接続される端部とは反対側の端部に接続される。接続部材１４は、支柱１２とロッド５３との間に配置された滑車１７２及び滑車１７３によって支持される。
【００４１】
図１１に示すように、支持装置６０は、貯留装置５０を上下方向に移動できるように支持する。支持装置６０は、柱６１と、弾性部材６３と、を備える。柱６１は、水槽１００の側壁１０５又は余水路１０１の側壁等に固定される。柱６１は、鉛直方向に延びている。ロッド５３は、２つの柱を貫通している。柱６１は、ロッド５３を上下方向に移動できるように案内する。柱６１は、中空状の部材である。弾性部材６３は、柱６１の内部に配置される。弾性部材６３は、柱６１のうちロッド５３が貫通する部分よりも下側に配置される。弾性部材６３は、例えばコイルバネである。弾性部材６３は、ロッド５３を上向きに押す。弾性部材６３は、ロッド５３を介して容器５１に上向きの力を加える。弾性部材６３によって、容器５１が位置決めされる。
【００４２】
図１１に示すように、レール１９は、可動スクリーン３０を案内するための部材である。レール１９は、側壁１０５に配置される。レール１９は、固定スクリーン２０の上流に配置される。フロート３１の端部は、レール１９に嵌められる。フロート３１は、レール１９に案内される。フロート３１は、レール１９に沿って移動する。レール１９の長手方向は、水面に対して傾斜している。レール１９の上流側の端部は、レール１９の下流側の端部に対して上側に配置される。例えば、レール１９は、湾曲している。
【００４３】
図１２から図１５は、第２変形例の可動スクリーンの動きを説明するための斜視図である。図１２から図１４は、発電機２００が停止した状態を示す。発電機２００が停止すると、発電機２００への水の流入が止まる。図１２の矢印で示すように、水が逆流する。図１３及び図１４に示すように、可動スクリーン３０が固定スクリーン２０から離れる。可動スクリーン３０はレール１９に沿って上流且つ上方向に吊り上げられる。網３３に溜まった塵芥は、吊り上げられた可動スクリーン３０の網３３から剥がれ落ちる。網３３から剥がれ落ちた塵芥は、図１２から図１４の状態において、水流に乗って余水路１０１に流れる。
【００４４】
図１２から図１４に示すように、余水路１０１に流れた水の一部は、容器５１に入る。容器５１に貯留される水の重量によって、弾性部材６３が縮み、貯留装置５０が下に移動する。除塵装置１０Ｂは、貯留装置５０の下への移動を動力として、可動スクリーン３０を接続部材１４によって引っ張ることで可動スクリーン３０を上流且つ上方向へ吊り上げる。
【００４５】
図１４に示すように、容器５１に所定量以上の水が貯留されると、容器５１の水は、排出口５５から排出される。これにより、容器５１に貯留される水の重量が少しずつ減少する。弾性部材６３の弾性力によって、貯留装置５０が上に移動する。このため、可動スクリーン３０は、下流に移動できるようになる。
【００４６】
図１５は、発電機２００の運転が再開した状態を示す。発電機２００の運転が再開すると、発電機２００へ水が流入する。これにより、可動スクリーン３０が下流に移動し、網３３が再び固定スクリーン２０に接する。
【００４７】
なお、フロート３１は、水を貯留できる空洞と、空洞と外部を繋ぐ流路と、を備えていてもよい。これにより、フロート３１が水に浸かっている時に、空洞に水が貯留される。可動スクリーン３０が上流に移動し、フロート３１が水面よりも上に吊り上げられた時、空洞に貯留された水が網３３に向かって放出される。これにより、網３３に付着した塵芥が剥がれやすくなる。
【００４８】
以上で説明したように、第２変形例の除塵装置１０Ｂは、接続部材１４のフロート３１と接続される端部とは反対側の端部に接続される貯留装置５０と、貯留装置５０を上下方向に移動できるように支持する支持装置６０と、を備える。貯留装置５０は、上面が開口し且つ少なくとも一部が余水路１０１に配置される容器５１を備える。
【００４９】
これにより、余水路１０１に水が流入することによって、容器５１に水が貯留される。容器５１に貯留された水の重量によって、接続部材１４が可動スクリーン３０を引っ張る。このため、接続部材１４の弛みが抑制される。
【００５０】
第２変形例の除塵装置１０Ｂにおいて、支持装置６０は、容器５１に上向きの力を加える弾性部材６３を備える。容器５１は、水を排出するための排出口５５を備える。
【００５１】
これにより、容器５１に貯留される水の重量が少しずつ減少する。弾性部材６３の弾性力によって、貯留装置５０が上に移動する。したがって、除塵装置１０Ｂは、接続部材１４によって可動スクリーン３０が引っ張られた状態から、自動的に、可動スクリーン３０が下流に移動できる状態にすることができる。
【００５２】
第２変形例の除塵装置１０Ｂは、水槽１００の側壁１０５に設けられて、フロート３１を案内するレール１９を備える。
【００５３】
これにより、除塵装置１０Ｂは、可動スクリーン３０を吊り上げることで塵芥を効果的に取り除くことができる。
【符号の説明】
【００５４】
１０、１０Ａ、１０Ｂ  除塵装置
１１  制御装置
１２  支柱
１４  接続部材
１５  第１水位計
１６  第２水位計
１７１、１７２、１７３  滑車
１８  バランサー
１９  レール
２０  固定スクリーン
３０  可動スクリーン
３１  フロート
３３  網
３５  錘
５０  貯留装置
５１  容器
５３  ロッド
５５  排出口
６０  支持装置
６１  柱
６３  弾性部材
１００  水槽
１０１  余水路
１０２  導水路
１０５  側壁
１１０  取水口
２００  発電機
【図１】
2020084726.tif 000003
【図２】
2020084726.tif 000004
【図３】
2020084726.tif 000005
【図４】
2020084726.tif 000006
【図５】
2020084726.tif 000007
【図６】
2020084726.tif 000008
【図７】
2020084726.tif 000009
【図８】
2020084726.tif 000010
【図９】
2020084726.tif 000011
【図１０】
2020084726.tif 000012
【図１１】
2020084726.tif 000013
【図１２】
2020084726.tif 000014
【図１３】
2020084726.tif 000015
【図１４】
2020084726.tif 000016
【図１５】
2020084726.tif 000017